(57)【特許請求の範囲】
【請求項１】
液体燃料を収容するカートリッジタンク、該カートリッジタンクから供給された液体燃料を貯える補助タンク、液体燃料を気化する気化器、前記補助タンクに設けられ該補助タンク内の液体燃料を汲み上げる電磁ポンプ、及び該電磁ポンプの吐出口に接続され前記気化器に液体燃料を送る送油管を備えた温風暖房機において、前記補助タンクを所定の位置に置く底板と、前記補助タンクを上方より押えて前記底板との間に固定するほぼ四角形状の固定板とを有し、該固定板の少なくとも前面板と側面板とで形成する角部に下部に開口するスリットを設け、該スリットの上下方向のほぼ中間部に前記前面板と側面板を連結する連結部を設け、前記固定板の角部に設けたスリットの上端部を結ぶ線上にミシン目状の複数の穴を設けたことを特徴とする温風暖房機。
【請求項２】
前記底板に凹部を設け、前記底板の凹部の底部を前端部までほぼ平坦に形成したことを特徴とする請求項１に記載の温風暖房機。
【発明の詳細な説明】
【０００１】
【発明の属する技術分野】
本発明は、液体燃料燃焼装置を備えた温風暖房機に係り、さらに詳しくは、温風暖房機における液体燃料残留部品の取外し構造に関するものである。
【０００２】
【従来の技術】
図８は従来の温風暖房機の一例の前面パネルを外した状態を示す正面図、図９は図８の風向板を外した状態を示す縦断面図である。
両図において、１はケース、２は風向板、３は上面に凹部４が設けられその前面側に凸部３ａが突設された底板、５は底部に底板３の凹部４に嵌合する凸部６を備えた補助タンクである。７は後述のカートリッジタンク８を包囲すると共に補助タンク５を上方から押えて、底板３との間に挟んで固定する断面四角形状の固定板、８は液体燃料が収容され、補助タンク５へ液体燃料を供給するカートリッジタンクである。また、９は液体燃料を気化する気化器、１０は補助タンク５に固定され、補助タンク５内の液体燃料を気化器９へ汲み上げる電磁ポンプ、１１は電磁ポンプ１０の吐出口に接続され、気化器９へ液体燃料を送る送油管である。
【０００３】
上記のような従来の温風暖房機においては、液体燃料はカートリッジタンク８から補助タンク５に給油され、補助タンク５内の液体燃料は電磁ポンプ１０により汲み上げられる。そして、汲み上げられた液体燃料は送油管１１を通り、気化器９に送られ、気化する。
【０００４】
このように構成した温風暖房機を廃棄するために、破砕機等で粉砕しようとする場合、カートリッジタンク８は勿論のこと、液体燃料が残留している可能性のある補助タンク５、電磁ポンプ１０、油送管１１を取外してから破砕する必要がある。
【０００５】
図１０、図１１により、従来の温風暖房機において、液体燃料残留部品である補助タンク５、電磁ポンプ１０及び油送管１１を取外す手順について説明する。なお、図８、図９で説明した従来の温風暖房機と同一又は相当部分にはこれと同じ符号を付し、説明する。
【０００６】
図１０において、１２は前面パネル、１３は前面パネル１２とケース１の側面を底板３に結合するためのねじ、１４は風向板２をケース１に結合するためのねじである。また、図１１において、１５はケース１の後面と底板３を結合するためのねじである。
このような温風暖房機において、補助タンク５、電磁ポンプ１０及び送油管１１を取外す場合は、先ず、手順１として、図１０に示すように、前面パネル１２とケース１の側面を底板３に結合しているねじ１３を取外し、前面パネル１２を前方に引いて本体１から取外す。ついで、風向板２とケース１とを結合しているねじ１４を取外し、風向板２を前方に引いてケース１から取外す。
【０００７】
次に手順２として、図１１に示すように、ケース１の後面と底板３を結合しているねじ１５を取外し、ケース１を底板３から上方に引上げることにより、固定板７を含めてケース１を底板３から取外す。これにより、固定板７の補助タンク５を押えていた状態が解除され、補助タンク５、電磁ポンプ１０及び送油管１１を底板３から取外すことができる。
【０００８】
【発明が解決しようとする課題】
上記のように、温風暖房機を廃棄のために粉砕する場合は、着火を防止するために液体燃料残留部品である補助タンク５、電磁ポンプ１０及び送油管１１をあらかじめ取外さなければならないが、従来はこれらを取外すために多くの作業工数を要していた。
【０００９】
本発明は、上記の課題を解決するためになされたもので、液体燃料残留部品を取外すために必要な作業工数を大幅に減らすことのできる温風暖房機を提供することを目的としたものである。
【００１０】
【課題を解決するための手段】
本発明は、液体燃料を収容するカートリッジタンク、該カートリッジタンクから供給された液体燃料を貯える補助タンク、液体燃料を気化する気化器、前記補助タンクに設けられ該補助タンク内の液体燃料を汲み上げる電磁ポンプ、及び該電磁ポンプの吐出口に接続され前記気化器に液体燃料を送る送油管を備えた温風暖房機において、次のように構成したものである。
【００１１】
（１）前記補助タンクを所定の位置に置く底板と、前記補助タンクを上方より押えて前記底板との間に固定するほぼ四角形状の固定板とを有し、該固定板の少なくとも前面板と側面板とで形成する角部に下部に開口するスリットを設け、該スリットの上下方向のほぼ中間部に前記前面板と側面板を連結する連結部を設け、前記固定板の角部に設けたスリットの上端部を結ぶ線上にミシン目状の複数の穴を設けた。
【００１２】
（２）前記底板に凹部を設け、前記底板の凹部の底部を前端部までほぼ平坦に形成した。
【００１５】
【発明の実施の形態】
［実施の形態１］
図１は本発明の実施の形態１に係る温風暖房機の要部の縦断面図、図２は図１の固定板の斜視図である。なお、図８〜図１１で説明した従来技術と同じ部分にはこれと同じ符号を付し、説明の一部を省略する。
両図において、７は断面四角形状の固定板で、図２（ａ）に示すように、前面板７１と両側面板７２で形成される両角部の下部には、前面板７１と側面板７２に跨って下端部に開口するスリット７３が設けられており、これらスリット７３の上下方向のほぼ中間部には、通常使用時に固定板７が変形しないように、前面板７１と側面側７２を連結する連結部７４がそれぞれ設けられている。
【００１６】
このような固定板７は、前面板７１のスリット７３の上端部から下方（以下、下部前面部７５という）を、内側から外方に向って押圧すると、連結部７４が破壊されて、図２（ｂ）に示すように、下部前面部７５が前方に折曲げられる。この場合、図に示すように、前面板７１の両側のスリット７３の上端部を結ぶ線上に、ミシン目状の複数の穴（スリット）７６を設ければ、下部前面部７５の折曲げがさらに容易になる。
【００１７】
上記のように構成した本実施の形態において、通常使用時においては、補助タンク５は底板３と固定板７との間に安定して保持され、温風暖房機の粉砕時には、図３に示すように、補助タンク５を固定板７の下から斜め前方に引張ると、固定板７のスリット７３に設けた連結部７４が破壊されて下部前面部７５が前方に折曲げられるので、電磁ポンプ１０及び送油管１１が設けられた補助タンク５を、底板３と固定板７の間から容易に引出すことができる。
【００１８】
図４は固定板７の他の例を示すもので、固定板７は図４（ａ）に示すように、四隅の角部の前面板７１を含む少なくとも３か所に、スリット７３と連結部７４を設け、必要に応じてスリット７３の上端部を結ぶ線上に、ミシン目状の複数の穴７６を設けたものである。
このように構成することにより、図４（ｂ）に示すように、補助タンク５の引出しに際して前面板７１の下部前面部７５と側面板７２の下部側面部７５ａが前方に折曲げられるので、補助タンク５をさらに容易に引出すことができる。
【００１９】
本実施の形態によれば、温風暖房機の粉砕に際して、風向板２をケース１から取外したり、ケース１を底板３から取外したりすることなく、補助タンク５を前方に引張ることにより、液体燃料残留部品である補助タンク５及びこれに取付けた電磁ポンプ１０、送油管１１を同時かつ容易にケース１から引出すことができる。
【００２０】
［実施の形態２］
図５は本発明の実施の形態２に係る温風暖房機の要部の縦断面図である。なお、実施の形態１と同じ部分にはこれと同じ符号を付し、説明を省略する。
本実施の形態は、底板３の凹部４の前面側に設けた凸部３ａ（図１、図９参照）を省略して、凹部４を前端部までほぼ平坦に形成したものである。
【００２１】
このように構成したことにより、通常使用時においては、補助タンク５は底板３と固定板７との間に安定して保持され、温風暖房機の粉砕時には、図６に示すように、補助タンク５を前面側に引張れば、底板３と固定板７に挟まれることなく、電磁ポンプ１０及び送油管１１と共に、補助タンク５を容易にケース１から引出すことができる。
本実施の形態によれば、風向板２をケース１から取外したり、ケース１を底板３から取外したりすることなく、液体燃料残留部品である補助タンク５、電磁ポンプ１０及び送油管１１を容易にケースから引出すことができる。
【００２２】
［実施の形態３］
図７は本発明の実施の形態３に係る温風暖房機の要部の縦断面図である。
本実施の形態は、実施の形態１のスリット７３と連結部７４を有する固定板７と、実施の形態２の凹部４の前面側に凸部３ａのない底板３とを用いたものである。
【００２３】
本実施の形態においては、通常使用時は補助タンク５は底板３と固定板７との間に安定して保持され、温風暖房機の粉砕時には、補助タンク５を前方に引張るとスリット７３の連結部７４が破壊されて前方（又は前方と側方）に折曲げられるので、比較的大きな補助タンク５でも容易に引出すことができ、その際、底板３の前面側には凸部３ａが設けられておらず平坦なので、引出しに際して補助タンク５の底部が当ることもなく、スムーズに引出すことができる。
本実施の形態によれば、実施の形態１及び２と同様の効果を得ることができる。
【００２４】
【発明の効果】
請求項１に係る温風暖房機は、補助タンクを所定の位置に置く底板と、補助タンクを上方より押えて底板との間に固定するほぼ四角形状の固定板とを有し、この固定板の少なくとも前面板と側面板とで形成する角部の下部に開口するスリットを設け、スリットの上下方向のほぼ中間部に前面板と側面板を連結する連結部を設け、補助タンクを斜め前方に引張ると連結部が破壊されて前面板の下部が前方に折曲げられるようにしたので、補助タンクを容易に引出すことができる。このため、廃棄の際などに風向板をケースから外したり、ケースを底板から外したりする必要がなく、液体燃料残留部品である補助タンク、電磁ポンプ、送油管を一体にしてケースから容易に取外すことができ、これら部品の取外しに要する作業工数を大幅に低減することができる。また、固定板の角部に設けたスリットの上端部を結ぶ線上にミシン目状の複数の穴を設けたので、比較的弱い力でも前面板の下部を前方に折曲げることができる。
【００２６】
請求項２に係る温風暖房機は、請求項１の温風暖房機の底板にに凹部を設け、底板の凹部の底部を前端部までほぼ平坦に形成したので、補助タンクが大きい場合でも請求項１とほぼ同様の効果を得ることができる。
【図面の簡単な説明】
【図１】  本発明の実施の形態１に係る温風暖房機の要部の縦断面図である。
【図２】  図１の固定板の斜視図及び作用説明図である。
【図３】  図１の温風暖房機の作用説明図である。
【図４】  図１の固定板の他の例の斜視図及び作用説明図である。
【図５】  本発明の実施の形態２に係る温風暖房機の要部の縦断面図である。
【図６】  図５の温風暖房機の作用説明図である。
【図７】  本発明の実施の形態３に係る温風暖房機の要部の作用説明図である。
【図８】  従来の温風暖房機の前面パネルを外した状態を示す正面図である。
【図９】  図８の風向板を外した状態を示す縦断面図である。
【図１０】  従来の温風暖房機における補助タンク、電磁ポンプ及び送油管を取外す手順１の説明図である。
【図１１】  従来の温風暖房機における補助タンク、電磁ポンプ及び送油管を取外す手順２の説明図である。
【符号の説明】
１  ケース、２  風向板、３  底板、３ａ  凸部、４  凹部、５  補助タンク、７  固定板、７１  前面板、７２  側面板、７３  スリット、７４  連結部、７６  ミシン目状の穴、８  カートリッジタンク、９  気化器、１０  電磁ポンプ、１１  送油管。
【図１】
0003861242.tif 000002
【図２】
0003861242.tif 000003
【図３】
0003861242.tif 000004
【図４】
0003861242.tif 000005
【図５】
0003861242.tif 000006
【図６】
0003861242.tif 000007
【図７】
0003861242.tif 000008
【図８】
0003861242.tif 000009
【図９】
0003861242.tif 000010
【図１０】
0003861242.tif 000011
【図１１】
0003861242.tif 000012